(57)【要約】【課題】  メインテナンス等を行う場合には、加熱ローラを加熱部材等と共に中心軸と直交する方向に抜脱可能にして作業性を向上させた定着装置。【解決手段】  加熱ローラと、加熱ローラの内部に位置して電磁誘導加熱により加熱ローラを加熱する加熱部材と、加熱部材の端部を保持する第１の保持部材及び第２の保持部材と、加熱ローラを保持する軸受けと、軸受けの周面を円弧状の凹部にて保持する第１のフレームと、軸受けにおける第１のフレームが保持しない周面を円弧状の凹部にて保持し、第１のフレームに対して開閉する第２のフレームと、第１の保持部材の近傍に配置され、加熱部材と束線で接続された電源を有する電源箱と、を備え、第２のフレームを移動させて第１のフレームを開放することにより、加熱ローラと共に加熱部材、軸受け、及び少なくとも第１の保持部材を加熱ローラを中心軸と直交する方向に抜脱可能としたこと。【選択図】        図３
2006337901.tif 000002
【特許請求の範囲】
【請求項１】
磁性体より形成された中空の加熱ローラと、
前記加熱ローラの内部に位置して電磁誘導加熱により前記加熱ローラを加熱する加熱部材と、
前記加熱部材の一方の端部を保持する第１の保持部材と、
前記加熱部材の他方の端部を保持する第２の保持部材と、
前記加熱ローラが回転自在になるように前記加熱ローラを保持する軸受けと、
前記軸受けの所定の周面を円弧状の凹部にて保持する第１のフレームと、
前記軸受けにおける前記第１のフレームが保持しない周面を円弧状の凹部にて保持し、前記第１のフレームに対して開閉する第２のフレームと、
前記第１の保持部材の近傍に配置され、前記加熱部材と束線で接続された電源を有する電源箱と、を備え、
前記第２のフレームを移動させて前記第１のフレームを開放することにより、前記加熱ローラの内部に前記加熱部材が位置し、前記加熱ローラを前記軸受けが保持し、且つ、少なくとも前記第１の保持部材が前記加熱部材を保持した状態で、前記加熱ローラを中心軸と直交する方向に抜脱可能としたことを特徴とする定着装置。
【請求項２】
前記第２のフレームは前記第１のフレームの端部に回動可能に軸支されていることを特徴とする請求項１に記載の定着装置。
【請求項３】
作動時には、前記第２のフレームは前記第１のフレームに固定されることを特徴とする請求項１又は請求項２に記載の定着装置。
【請求項４】
前記加熱ローラと前記軸受けとの間に断熱材から形成されたスリーブが挿着され、前記加熱ローラと共に前記スリーブを抜脱可能としたことを特徴とする請求項１〜３の何れか１項に記載の定着装置。
【請求項５】
前記第２の保持部材の近傍に前記加熱ローラと一体的に設けた歯車が設けられ、前記加熱ローラと共に前記歯車を抜脱可能としたことを特徴とする請求項１〜４の何れか１項に記載の定着装置。
【請求項６】
前記束線は前記第１の保持部材により保持されていることを特徴とする請求項１〜５の何れか１項に記載の定着装置。
【請求項７】
請求項１〜６の何れか１項に記載の定着装置を備えたことを特徴とする画像形成装置。
【請求項８】
磁性体より形成された中空の加熱ローラと、
前記加熱ローラの内部に位置して電磁誘導加熱により前記加熱ローラを加熱する加熱部材と、
前記加熱部材の一方の端部を保持する第１の保持部材と、
前記加熱部材の他方の端部を保持する第２の保持部材と、
前記加熱ローラが回転自在になるように前記加熱ローラを保持する軸受けと、
前記軸受けの所定の周面を円弧状の凹部にて保持する第１のフレームと、
前記軸受けにおける前記第１のフレームが保持しない側の周面を円弧状の凹部にて保持し、前記第１のフレームに対して開閉する第２のフレームと、
前記第１の保持部材の近傍に配置され、前記加熱部材と束線で接続された電源を有する電源箱と、を備え、
前記束線を前記電源箱から取り外す工程と、
前記第２のフレームを移動させて前記第１のフレームを開放する工程と、
所定の固定部材に固着された前記第１の保持部材を前記固定部材から取り外す工程と、
前記加熱部材の他方の端部を前記第２の保持部材より抜脱する工程と、
前記加熱ローラの内部に前記加熱部材が位置し、前記加熱ローラを前記軸受けが保持し、且つ、前記第１の保持部材が前記加熱部材を保持した状態で、前記加熱ローラを中心軸と直交する方向に抜脱する工程と、を有することを特徴とする加熱ローラの抜脱方法。
【請求項９】
前記第２のフレームは前記第１のフレームの端部に回動可能に軸支されていて、前記第２のフレームを回動させて前記第１のフレームを開放する工程を有することを特徴とする請求項８に記載の加熱ローラの抜脱方法。
【請求項１０】
前記第１のフレームと前記第２のフレームとの固定を解除した後に、前記第２のフレームを回動させる工程を有することを特徴とする請求項９に記載の加熱ローラの抜脱方法。
【請求項１１】
前記加熱ローラと前記軸受けとの間に挿着された断熱材から形成されたスリーブを、前記加熱ローラと共に抜脱することを特徴とする請求項８〜１０の何れか１項に記載の加熱ローラの抜脱方法。
【請求項１２】
前記第２の保持部材の近傍に前記加熱ローラと一体的に設けた歯車を、前記加熱ローラと共に抜脱することを特徴とする請求項８〜１１の何れか１項に記載の加熱ローラの抜脱方法。
【発明の詳細な説明】
【技術分野】
【０００１】
本発明は、複写機、プリンタ、ファクシミリ及びこれらの諸機能を備えた複合機等の画像形成装置に用いられる電磁誘導加熱方式の定着装置に関する。
【背景技術】
【０００２】
複写機、プリンタ、ファクシミリ、及びこれらの諸機能を備えた複合機等の電子写真方式の画像形成装置においては、原稿に対応した潜像を感光体に形成し、この潜像にトナーを付与することによって顕像化し、この顕像化されたトナー像を記録紙（転写材）上に転写し、この後、記録紙上に転写されたトナー像を定着している。
【０００３】
このようなトナー像を定着する定着装置として、ハロゲンヒータ等を内蔵した加熱ローラと、加熱ローラを加圧する加圧ローラとによって、トナー像が転写された記録紙を挟持・搬送しながら、加熱・加圧する熱ローラ定着方式の定着装置があり、このような定着装置は構成が簡便であると共に記録紙上への定着性が良好であるため、広く利用されている。
【０００４】
しかし、近年はウオーミングアップ時間の短縮や省エネルギーのために、急速加熱及び高効率加熱の電磁誘導加熱方式の定着装置が開発されている。電磁誘導加熱方式の定着装置は、磁性材料から形成された肉薄の加熱ローラの外側近傍若しくは加熱ローラの内部に誘導コイルを配置し、誘導コイルに高周波交流電流を印加することで誘起される誘導磁束により加熱ローラを発熱させ、加熱ローラと加熱ローラを加圧する加圧ローラとの間に形成されたニップ部で記録紙を挟持・搬送して加熱・加圧し、記録紙上のトナー像を定着する構成である。
【０００５】
このような電磁誘導加熱方式の定着装置においても、正規の性能を維持するために定期的にメインテナンスを行う必要があり、この際には加熱ローラ等を新しいものと交換することになる。
【０００６】
加熱ローラの内部に誘導コイル等の加熱部材を配置したた場合に、加熱ローラを取り外すときには、加熱部材が邪魔になり、このままで取り外すことができない。そこで、加熱部材を保持する保持部材から加熱部材を取り外し、加熱部材を加熱ローラから軸方向に引き抜いた後に、加熱部材を取り外すことになる。
【０００７】
しかし、電磁誘導加熱方式の定着装置においては、誘導コイルの電源を有する電源箱が加熱ローラの近傍に配置されていて、誘導コイルと電源が束線で接続されている。従って、電源箱が加熱部材を引き抜く作業の妨げになる。この問題を解決するためには、下記の手段が考えられるが、それぞれに問題点を有している。
【０００８】
（１）電源箱を加熱ローラから遠ざけて配置する。
【０００９】
この場合は、束線が長くなり、定着装置全体が大型化してしまうという問題がある。
【００１０】
（２）電源箱を取り外し可能にするか、移動可能にする。
【００１１】
この場合は、面倒な作業が必要になったり、複雑な構成になったりするという問題がある。
【００１２】
（３）加熱部材を電源箱と逆方向に引き抜く。
【００１３】
この場合は、加熱部材を挿入する際に、束線が先端に位置して作業がし難くなるという問題がある。
【００１４】
なお、加熱ローラにハロゲンランプを内蔵した熱ローラ定着方式の定着装置に関するものであるが、下側ハウジングに加圧ローラを装着すると共に上側ハウジングに加熱ローラを装着し、支軸を中心に下側ハウジングに対して上側ハウジングを回転させて開放することにより、加熱ローラを中心軸と直交する方向に取り外すことができるようにした特許公報が開示されている（特許文献１参照）。
【特許文献１】特開平１０−７８７１７号公報
【発明の開示】
【発明が解決しようとする課題】
【００１５】
特許文献１に記載の構成においては、加熱ローラから加熱部材を引き抜かずに加熱ローラを中心軸と直交する方向に取り外すことが可能である。詳しくは、加熱ローラに装着した軸受けの半周を半円形の凹部を有する上側ハウジングに装着し、軸受けの他の半周の一部を上側ハウジングに設けた小さな保持部材で当接させて保持している。そして、保持部材は長孔を有し、この長孔にビスが貫通していて、ビスを締めて軸受けを保持する位置に保持部材を移動させたり、ビスを緩めて軸受けから退避する位置に保持部材を移動させたりすることが可能になっている。
【００１６】
しかし、この保持部材は上側ハウジングに設けられているので、上側ハウジングが当接しない軸受けの半周の一部分であって上側ハウジングに近い位置で軸受けを保持している。従って、保持部材が軸受けを保持する位置が非常に片寄っていて、軸受けの円周を均等に保持していないので、軸受けの位置決めが不安定である。使用時には加圧ローラが下方から加熱ローラを押圧して、軸受けを上側ハウジングに圧着しているが、加圧ローラはシリコンゴム等で形成された弾性ローラであるので、不安定な加熱ローラが加圧ローラの方向に移動しないとも限らない。また、保持部材を締めているビスが経時変化で緩めば、加熱ローラの位置は全く不安定になってしまい、定着ムラ等が発生する虞がある。
【００１７】
本発明はかかる問題に鑑みてなされたものであり、加熱ローラの内部に加熱部材が位置し、加熱部材の電源を有する電源箱が加熱ローラの近傍に配置されている電磁誘導加熱方式の定着装置において、メインテナンス等を行う場合には、加熱ローラから加熱部材を軸方向に引き抜かずに加熱ローラを加熱部材等と共に中心軸と直交する方向に抜脱可能にして作業性を向上させ、且つ、作動時には加熱ローラを確実に保持することができるようにした定着装置、該定着装置を備えた画像形成装置、及び加熱ローラの抜脱方法を提案することを目的とする。
【課題を解決するための手段】
【００１８】
上記目的は下記の手段によって達成される。
【００１９】
［１］磁性体より形成された中空の加熱ローラと、前記加熱ローラの内部に位置して電磁誘導加熱により前記加熱ローラを加熱する加熱部材と、前記加熱部材の一方の端部を保持する第１の保持部材と、前記加熱部材の他方の端部を保持する第２の保持部材と、前記加熱ローラが回転自在になるように前記加熱ローラを保持する軸受けと、前記軸受けの所定の周面を円弧状の凹部にて保持する第１のフレームと、前記軸受けにおける前記第１のフレームが保持しない周面を円弧状の凹部にて保持し、前記第１のフレームに対して開閉する第２のフレームと、前記第１の保持部材の近傍に配置され、前記加熱部材と束線で接続された電源を有する電源箱と、を備え、前記第２のフレームを移動させて前記第１のフレームを開放することにより、前記加熱ローラの内部に前記加熱部材が位置し、前記加熱ローラを前記軸受けが保持し、且つ、少なくとも前記第１の保持部材が前記加熱部材を保持した状態で、前記加熱ローラを中心軸と直交する方向に抜脱可能としたことを特徴とする定着装置。
【００２０】
［２］前記第２のフレームは前記第１のフレームの端部に回動可能に軸支されていることを特徴とする［１］に記載の定着装置。
【００２１】
［３］作動時には、前記第２のフレームは前記第１のフレームに固定されることを特徴とする［１］又は［２］に記載の定着装置。
【００２２】
［４］前記加熱ローラと前記軸受けとの間に断熱材から形成されたスリーブが挿着され、前記加熱ローラと共に前記スリーブを抜脱可能としたことを特徴とする［１］〜［３］の何れか１項に記載の定着装置。
【００２３】
［５］前記第２の保持部材の近傍に前記加熱ローラと一体的に設けた歯車が設けられ、前記加熱ローラと共に前記歯車を抜脱可能としたことを特徴とする［１］〜［４］の何れか１項に記載の定着装置。
【００２４】
［６］前記束線は前記第１の保持部材により保持されていることを特徴とする［１］〜［５］の何れか１項に記載の定着装置。
【００２５】
［７］［１］〜［６］の何れか１項に記載の定着装置を備えたことを特徴とする画像形成装置。
【００２６】
［８］磁性体より形成された中空の加熱ローラと、前記加熱ローラの内部に位置して電磁誘導加熱により前記加熱ローラを加熱する加熱部材と、前記加熱部材の一方の端部を保持する第１の保持部材と、前記加熱部材の他方の端部を保持する第２の保持部材と、前記加熱ローラが回転自在になるように前記加熱ローラを保持する軸受けと、前記軸受けの所定の周面を円弧状の凹部にて保持する第１のフレームと、前記軸受けにおける前記第１のフレームが保持しない側の周面を円弧状の凹部にて保持し、前記第１のフレームに対して開閉する第２のフレームと、前記第１の保持部材の近傍に配置され、前記加熱部材と束線で接続された電源を有する電源箱と、を備え、前記束線を前記電源箱から取り外す工程と、前記第２のフレームを移動させて前記第１のフレームを開放する工程と、所定の固定部材に固着された前記第１の保持部材を前記固定部材から取り外す工程と、前記加熱部材の他方の端部を前記第２の保持部材より抜脱する工程と、前記加熱ローラの内部に前記加熱部材が位置し、前記加熱ローラを前記軸受けが保持し、且つ、前記第１の保持部材が前記加熱部材を保持した状態で、前記加熱ローラを中心軸と直交する方向に抜脱する工程と、を有することを特徴とする加熱ローラの抜脱方法。
【００２７】
［９］前記第２のフレームは前記第１のフレームの端部に回動可能に軸支されていて、前記第２のフレームを回動させて前記第１のフレームを開放する工程を有することを特徴とする［８］に記載の加熱ローラの抜脱方法。
【００２８】
［１０］前記第１のフレームと前記第２のフレームとの固定を解除した後に、前記第２のフレームを回動させる工程を有することを特徴とする［９］に記載の加熱ローラの抜脱方法。
【００２９】
［１１］前記加熱ローラと前記軸受けとの間に挿着された断熱材から形成されたスリーブを、前記加熱ローラと共に抜脱することを特徴とする［８］〜［１０］の何れか１項に記載の加熱ローラの抜脱方法。
【００３０】
［１２］前記第２の保持部材の近傍に前記加熱ローラと一体的に設けた歯車を、前記加熱ローラと共に抜脱することを特徴とする［８］〜［１１］の何れか１項に記載の加熱ローラの抜脱方法。
【発明の効果】
【００３１】
本発明の定着装置、画像形成装置、及び加熱ローラの抜脱方法によれば、加熱ローラの内部に加熱部材が位置し、加熱部材の電源を有する電源箱が加熱ローラの近傍に配置されている電磁誘導加熱方式の定着装置において、メインテナンス等を行う場合には、加熱ローラから加熱部材を軸方向に引き抜かずに加熱ローラを加熱部材等と共に中心軸と直交する方向に抜脱可能にしたので、作業性が向上し、且つ、定着装置の作動時に加熱ローラを確実に保持することができる。
【発明を実施するための最良の形態】
【００３２】
本願発明の電磁誘導加熱方式の定着装置に関する実施の形態を説明する。
【００３３】
先ず、本発明に係わる電磁誘導加熱方式の定着装置を用いた画像形成装置について、図１の基本構成図を参照して説明する。
【００３４】
図１において、１は電子写真感光体である感光体ドラムであって、感光体ドラム１は矢示の方向に所定の周速度で回転駆動され、その表面が帯電器２によってマイナスの所定の電位ＶＨに一様帯電される。
【００３５】
３は露光装置で、不図示の画像読取装置やコンピュータ等から入力される画像情報の時系列デジタル画素信号に対応して変調されたレーザビームを出力する。一様帯電された感光体ドラム１の表面は、このレーザビームによって走査露光される。これにより、感光体ドラム１の露光部分は電位絶対値が低下して電位ＶＬとなり感光体ドラム１の表面に静電潜像が形成される。
【００３６】
現像器４は回転駆動される現像ローラ４ａを備えている。現像ローラ４ａは感光体ドラム１と対向して配置されており、その外周面にマイナスに帯電したトナーの薄層が形成される。現像ローラ４ａには、その絶対値が感光体ドラム１の電位ＶＨよりも小さく、電位ＶＬよりも大きい現像バイアス電圧が印加されており、これにより現像ローラ４ａ上のトナーが感光体ドラム１の電位ＶＬ部分にのみ付着して反転現像が行われ、トナー像が形成される。
【００３７】
一方、不図示の給紙部から給送される転写材である記録紙Ｐはレジストローラ５ａを経て、感光体ドラム１の回転と同期した適切なタイミングで感光体ドラム１と帯電転写極６とで形成される転写領域へ送られる。そして、感光体ドラム１上のトナー像は転写バイアスが印加された帯電転写極６により記録紙Ｐに転写される。
【００３８】
５ｂは定着用ガイドであって、トナー像が転写された記録紙Ｐは定着装置７へ搬送され、記録紙Ｐ上に転写されたトナー像の定着がなされる。定着装置７を通過してトナー像の定着を終えた記録紙Ｐは不図示の排紙トレイ上に排出される。
【００３９】
一方、記録紙Ｐが分離された後の感光体ドラム１は、その表面に付着した転写残トナー等の残留物がクリーニング装置９によって除去され、クリーニングされた感光体ドラム１は繰り返し次の画像形成に供される。
【００４０】
なお、上述の画像形成装置はモノクロ画像を形成する装置であるが、本発明の定着装置はカラー画像を形成する装置に対しても適用される。
【００４１】
次に、本発明の電磁誘導加熱方式の定着装置７におけるローラについて図２の断面図を参照して説明する。
【００４２】
ローラは、高透磁率の磁性材料からなり中空に形成された加熱ローラ７１と、加熱ローラ７１の内部に位置し電磁誘導加熱により加熱ローラ７１を加熱する加熱部材７２と、加熱ローラ７１を加圧する加圧ローラ７３とからなる。そして、不図示の電源から２０ｋＨｚ以上の高周波交流電流を加熱部材７２の誘導コイル７２ａに印加することにより誘起される誘導磁束によって加熱ローラ７１を自己発熱させ、未定着のトナー像を担持した記録紙Ｐを加熱ローラ７１と加圧ローラ７３との間のニップＮで挟持・搬送しながら、加熱・加圧し、記録紙Ｐ上のトナー像を定着する。
【００４３】
加熱ローラ７１は、高透磁率の磁性材料からなる鉄を用いて薄肉で中空に形成され、電磁誘導によって発熱する発熱体７１ａと、記録材Ｐを分離し易くするためにトナーに対する離型性と耐熱性を有してフッ素樹脂からなるＰＴＦＥ（ポリテトラフルオロエチレン）を発熱体７１ａの外表面にコーティングした離型層７１ｂと、からなる。
【００４４】
加熱部材７２は、細い銅線を束ねたリッツ線を用いた誘導コイル７２ａが、中央に配置されたボビン７２ｂの外周に巻回されていている。
【００４５】
加圧ローラ７３は、アルミニュウム等からなる金属から形成された芯金７３ａと、その外周に設けられ加熱ローラ７１の表面より若干柔らかいシリコンゴムから形成された弾性層７３ｂとからなる。そして、不図示の付勢手段により加熱ローラ７１の方向に付勢されている。
【００４６】
次に、加熱ローラ７１及び加熱部材７２を保持する構成について、図３乃至図６に基づいて説明する。
【００４７】
図３は加熱ローラ及び加熱部材を保持する主要部の断面図、図４は加熱ローラを保持する保持部材等の斜視図、図５は第１のフレームに対して第２のフレームを閉鎖した図、図６は第１のフレームに対して第２のフレームを開放した図である。
【００４８】
先ず、加熱部材７２の保持について、図４及び図３に基づいて説明する。
【００４９】
図４に示す如く、加熱部材７２の両端にはＬ形に形成された保持部７２ａが２個宛、計４個設けられている。また、加熱部材７２の右方には第１の保持部材７４が配置され、左方には第２の保持部材７５が配置されている。
【００５０】
加熱部材７２の右端に設けられた２個の保持部７２ａは、第１の保持部材７４に設けた角孔７４ａに嵌入される。そして、第１の保持部材７４に設けた二つの孔７４ｂに各々止めネジ７６が挿入され、所定の固定部材８０にネジ止めされて第１の保持部材７４は固定される。なお、所定の固定部材８０とは、定着装置７の各部材を内蔵するハウジングであってもよいし、このハウジングに固定した部材であってもよい。
【００５１】
一方、加熱部材７２の左端に設けられた２個の保持部７２ａは、第２の保持部材７５に設けた角孔７５ａに嵌入される。そして、第２の保持部材７５に設けた二つの孔７５ｂに各々止めネジ７６が挿入され、図３に示す第１のフレーム８１にネジ止めされて第２の保持部材７５は固定される。
【００５２】
このようにして加熱部材７２は固定されるので、加熱ローラ７１が回転しても加熱部材７２は回転することなく静止した状態で保持される。
【００５３】
次に、加熱ローラ７１の保持について、図３、図５乃至図６に基づいて説明する。
【００５４】
図３に示す如く、加熱ローラ７１の両端には耐熱性の樹脂から形成されたスリーブ８３が各々嵌入し、各々のスリーブ８３に回転自在の軸受け８４が嵌入している。
【００５５】
加熱ローラ７１の下方にはコの字形をして左右の保持部８１ａが下面で接続された第１のフレーム８１が位置し、加熱ローラ７１の上方にはコの字形をして左右の保持部８２ａが上面で接続された第２のフレーム８２が位置している。そして、第１のフレーム８１の左右の保持部８１ａは軸受け８４の周面の略半周部を保持する円弧状の凹部８１ｂを有し、第２のフレーム８２の左右の保持部８２ａは軸受け８４における凹部８１ｂが保持しない周面の一部を保持する円弧状の凹部８２ｂを有している。
【００５６】
また、図５乃至図６に示す如く、第１のフレーム８１の左右の保持部８１ａと第２のフレーム８２の左右の保持部８２ａの端部は各々支軸８５で結合され、第１のフレーム８１に対して第２のフレーム８２は支軸８５を中心に回動して開閉する。
【００５７】
また、図３に示す如く、加熱ローラ７１の左端には歯車８７が固定されていて、モータや減速歯車等からなる不図示の駆動手段によって歯車８７及び加熱ローラ７１が回転する。
【００５８】
定着装置７の組み立て時には、図６に示す如く、第１のフレーム８１に対して第２のフレーム８２を開放する。次に、内部に加熱部材７２が挿入され、外部にスリーブ８３を介した軸受け８４及び歯車８７が挿着された加熱ローラ７１を第１のフレーム８１に挿入し、軸受け８４を第１のフレーム８１における両端の凹部８１ｂに載置する。続いて、第２のフレーム８２を反時計方向に回動させて、第２のフレーム８２における両端の凹部８２ｂを軸受け８４に各々当接させて、図５に示す閉鎖状態にする。その後、第１のフレーム８１の保持部８１ａより突出した固定部８１ｃに第２のフレーム８２の保持部８２ａより突出した固定部８２ｃを各々止めネジ８６にてネジ止めする。
【００５９】
これにより、軸受け８４は凹部８１ｂと凹部８２ｂによって確実に位置決めされ、経時的にも充分に保証される。従って、加熱ローラ７１も位置ずれするようなことは全くなく、安定して回転する。
【００６０】
また、図３に示す如く、第１の保持部材７４の右方には、加熱部材７２の電源を内蔵した電源箱７７が配置され、加熱部材７２と電源箱７７は２本若しくは４本のケーブルを束ねた束線７８にて接続されている。束線７８は図４に示す如く第１の保持部材７４に突出した腕部７４ｃに保持され、且つ結束バンド７９にて固定されている。従って、電源箱７７の電源より２０ｋＨｚ以上の高周波交流電流を束線７８を介して誘導コイル７２に印加し、誘起される誘導磁束によって加熱ローラ７１を自己発熱させることになる。
【００６１】
以上の構成において、第１のフレーム８１、第２のフレーム８２等は基本構成が明確になるように、コの字形の簡易な形状で図示してあるが、実際の製造時には強度等を考慮して、曲部を設けたり、箱状に締結したりした構造にすることになる。
【００６２】
次に、メインテナンスの場合に、加熱部材７２を保持した状態で加熱ローラ７１を抜脱する方法を説明する。
【００６３】
先ず、電源箱７７の蓋７７ａを開放し、内部の電源にネジ止めされている束線７８の端部をネジを緩めて取り外し、束線７８を電源箱７７から左方に引く抜く。
【００６４】
次に、止めネジ８６を取り外し、第２のフレーム８２を回動させて、図６に示す如く第１のフレーム８１を開放させる。
【００６５】
続いて、止めネジ７６を取り外して、第１の保持部材７４と固定部材８０との締結を解除する。
【００６６】
この状態で、加熱部材７２を右方に僅かに引いて、加熱部材７２の左端の保持部７２ａを第２の保持部材７５の角孔７５ａより引き抜く。
【００６７】
この結果、加熱ローラ７１及び加熱部材７２は中心軸と直交する方向である上方に対して干渉するものは何も存在しないので、加熱ローラ７１に加熱部材７２、第１の保持部材７４、スリーブ８３、軸受け８４及び歯車８７が装着された状態で、加熱ローラ７１を上方に取り外すことができる。
【００６８】
なお、場合によっては止めネジ７６を取り外して、第２の保持部材７５をも加熱ローラ７１と共に取り外すようにしてもよい。
【００６９】
以上により、加熱ローラに内蔵された加熱部材の電源を有する電源箱が加熱ローラの近傍に配置されている電磁誘導加熱方式の定着装置において、電源箱を加熱ローラより遠く配置して装置を大型化する必要がなく、また、電源箱を移動させて複雑な構成にする必要もなく、更に、電源箱の逆側から加熱部材を加熱ローラに対して挿脱するような面倒な作業も必要なくなり、メインテナンス時の作業性が著しく向上する。
【００７０】
なお、前述の構成で加熱ローラ７１を記録紙Ｐの給紙方向と略直交する方向に抜脱可能なように第１のフレーム８１と第２のフレーム８２とを構成したが、加熱ローラ７１を記録紙Ｐの給紙方向と略平行な方向に抜脱可能なように第１のフレーム８１と第２のフレーム８２とを構成することも可能である。
【図面の簡単な説明】
【００７１】
【図１】画像形成装置の基本構成図である。
【図２】電磁誘導加熱方式の定着装置におけるローラの図である。
【図３】加熱ローラ及び加熱部材を保持する主要部の断面図である。
【図４】加熱ローラを保持する保持部材等の斜視図である。
【図５】第１のフレームに対して第２のフレームを閉鎖した図である。
【図６】第１のフレームに対して第２のフレームを開放した図である。
【符号の説明】
【００７２】
７  定着装置
７１  加熱ローラ
７２  加熱部材
７２ａ  保持部
７３  加圧ローラ
７４  第１の保持部材
７４ａ，７５ａ  角孔
７５  第２の保持部材
７７  電源箱
７８  束線
８１  第１のフレーム
８２  第２のフレーム
８３  スリーブ
８４  軸受け
８７  歯車
Ｐ  記録材
【図１】
2006337901.tif 000003
【図２】
2006337901.tif 000004
【図３】
2006337901.tif 000005
【図４】
2006337901.tif 000006
【図５】
2006337901.tif 000007
【図６】
2006337901.tif 000008